(57)【要約】      （修正有）【課題】画像担持体に形成したインク画像を記録媒体に転写するインクジェット記録装置において、消費電力を増加させることなく、記録媒体におけるインク画像の滲みを抑制するとともに、画像担持体から記録媒体へのインク画像の転写効率を高める。【解決手段】インク吐出ヘッド２によってインク画像を形成する時は、感温性高分子層１２を親水性としてインク７中の水分の一部を感温性高分子層１２に吸収させる一方、画像担持体１に形成したインク画像を用紙Ｐに転写する際は、第１加熱部材８ａによる加熱で、感温性高分子層１２及びインク７中の水性媒体７１を親水性から疎水性とし、感温性高分子層１２から水分を滲み出させ、感温性高分子層１２から滲出した水分と疎水性に変化したインク７とを反発させて感温性高分子層１２に対するインク７の付着力を低下させる。【選択図】図１
2013132776.tif 000002
【特許請求の範囲】
【請求項１】
加熱によって親水性から疎水性に可逆変化する感温性高分子層が表面に形成された回転自在の画像担持体と、加熱によって親水性から疎水性に変化する水性媒体に顔料を分散させたインクを前記画像担持体に吐出してインク画像を形成するインク吐出手段と、前記画像担持体に接触し、前記画像担持体に形成されたインク画像を記録媒体に転写させる転写手段と、前記画像担持体に形成されたインク画像及び前記感温性高分子層を加熱する第１加熱手段とを備え、
前記インク吐出手段によってインク画像を形成する時は、前記感温性高分子層を親水性としてインク中の水分を前記感温性高分子層に吸収させる一方、前記画像担持体に形成したインク画像を記録媒体に転写する際は、前記第１加熱手段による加熱で前記感温性高分子層及びインク中の水性媒体を親水性から疎水性とし、前記感温性高分子層から水分を滲み出させ、前記感温性高分子層から滲出した水分と疎水性に変化したインクとを反発させて前記感温性高分子層に対するインクの付着力を低下させることを特徴とするインクジェット記録装置。
【請求項２】
前記インクの水性媒体が、疎水性成分と親水性成分とを有する水溶性樹脂を含有している請求項１記載のインクジェット記録装置。
【請求項３】
前記転写手段よりも前記画像担持体の回転方向上流側に、前記感温性高分子層に水分を付与する水分付与手段をさらに設けた請求項１又は２記載のインクジェット記録装置。
【請求項４】
第１加熱手段が、前記インク吐出手段と前記転写手段との間に設けられた請求項１〜３のいずれかに記載のインクジェット記録装置。
【請求項５】
第１加熱手段が、前記転写手段を介して前記感温性高分子層を加熱する位置に設けられた請求項１〜３のいずれかに記載のインクジェット記録装置。
【請求項６】
第１加熱手段が、前記転写手段と前記画像担持体を挟んで対向する位置に設けられた請求項１〜３のいずれかに記載のインクジェット記録装置。
【請求項７】
前記転写手段よりも前記画像担持体の回転方向下流側に、前記感温性高分子層を加熱する第２加熱手段と、前記感温性高分子層から滲み出した水分を取り除く水分除去手段とを回転方向にこの順で設けた請求項１〜６のいずれかに記載のインクジェット記録装置。
【請求項８】
親水性と疎水性とに可逆変化する前記感温性高分子層の相転移温度が５℃〜４５℃の範囲である請求項１〜７のいずれかに記載のインクジェット記録装置。
【請求項９】
前記インクの水性媒体の、親水性から疎水性に変化する温度が、前記感温性高分子層の相転移温度よりも高い温度である請求項８記載のインクジェット記録装置。
【発明の詳細な説明】
【技術分野】
【０００１】
本発明はインクジェット記録装置に関し、より詳細には、画像担持体にインク画像を形成した後、画像担持体から記録媒体にインク画像を転写するインクジェット記録装置に関するものである。
【背景技術】
【０００２】
インク吐出ヘッドからインク滴を記録媒体に吐出して画像を形成するインクジェット方式の画像形成装置（インクジェット記録装置）は、電子写真方式に比べて構造が簡単で小型・軽量化しやすく、また電子写真方式のような加熱定着部が不要で消費電力も少ないことから近年広く使用されている（特許文献１など）。
【０００３】
一方、インクジェット記録装置は、水などの分散媒に着色剤としての顔料や染料を分散させたインクを用いるので、インク吸収層のない普通紙に画像を形成した場合にはインクの滲みが生じ解像度が悪くなる。
【０００４】
そこで、インクの滲みを抑えるためこれまでから種々の方法が提案されている。例えば、インク画像を形成する前に記録媒体に凝集剤を吹き付け塗布してインクの滲みを抑制する方法、あるいは高粘度の顔料分散インクを用いる方法、さらには固形インクをヘッド内で加熱して液体とし記録媒体に打滴する方法などが提案され、市販装置に搭載されている方法もある。
【０００５】
しかしながら、記録媒体に凝集剤を予め塗布する方法では、極めて短時間に凝集剤を乾燥させなければならず電子写真方式と同程度の電力を必要とするおそれがある。また、記録媒体の非画像形成領域にも凝集剤を塗布するため凝集剤の無駄が不可避的に生じる。高粘度の顔料分散インクを用いる方法では、記録媒体の水分吸収は従来に比べて抑えられると考えられるものの、画像形成部分が広い場合には記録媒体に吸収される水分量が多くなるため、記録媒体のコシが低下するおそれがある。固形インクを用いる方法では、ヘッド内でインクが再固化しないように加熱しておく必要があるため電力消費が多くなるおそれがある。
【０００６】
また、中間転写体上に顔料分散インクで画像を形成し、形成したインク画像から媒体を吸収除去した後、中間転写体から記録媒体に画像を転写する記録装置も提案されている（例えば特許文献２を参照）。
【先行技術文献】
【特許文献】
【０００７】
【特許文献１】特開平7-276792号公報
【特許文献２】特開平5-200999号公報
【発明の概要】
【発明が解決しようとする課題】
【０００８】
特許文献２の提案技術によればインク画像の滲みは抑制されると推測されるものの、中間転写体と顔料との付着力が大きくなりすぎ、記録媒体へのインク画像の転写効率が低くなるおそれがある。
【０００９】
本発明は、前記のような従来の問題に鑑みてなされたものであり、その目的は、消費電力を増加させることなく、記録媒体におけるインク画像の滲みを抑制するとともに、画像担持体から記録媒体へのインク画像の転写効率を高めたインクジェット記録装置を提供することにある。
【課題を解決するための手段】
【００１０】
本発明によれば、加熱によって親水性から疎水性に可逆変化する感温性高分子層が表面に形成された回転自在の画像担持体と、加熱によって親水性から疎水性に変化する水性媒体に顔料を分散させたインクを前記画像担持体に吐出してインク画像を形成するインク吐出手段と、前記画像担持体に接触し、前記画像担持体に形成されたインク画像を記録媒体に転写させる転写手段と、前記画像担持体に形成されたインク画像及び前記感温性高分子層を加熱する第１加熱手段とを備え、前記インク吐出手段によってインク画像を形成する時は、前記感温性高分子層を親水性としてインク中の水分を前記感温性高分子層に吸収させる一方、前記画像担持体に形成したインク画像を記録媒体に転写する際は、前記第１加熱手段による加熱で前記感温性高分子層及びインク中の水性媒体を親水性から疎水性とし、前記感温性高分子層から水分を滲み出させ、前記感温性高分子層から滲出した水分と疎水性に変化したインクとを反発させて前記感温性高分子層に対するインクの付着力を低下させることを特徴とするインクジェット記録装置が提供される。
【００１１】
前記インクの水性媒体としては、疎水性成分と親水性成分とを有する水溶性樹脂を含有しているものが好ましい。
【００１２】
また、前記感温性高分子層から滲み出させる水分量を調整して、前記画像担持体に形成した画像を記録媒体に転写する際の、画像の転写効率を高める観点から、前記転写手段よりも前記画像担持体の回転方向上流側に、前記感温性高分子層に水分を付与する水分付与手段をさらに設けてもよい。
【００１３】
第１加熱手段は、前記インク吐出手段と前記転写手段との間に設けてもよい。あるいは、前記転写手段を介して前記感温性高分子層を加熱する位置に設けてもよい。さらにまた、前記転写手段と前記画像担持体を挟んで対向する位置に設けてもよい。
【００１４】
また、前記転写手段よりも前記画像担持体の回転方向下流側に、前記感温性高分子層を加熱する第２加熱手段と、前記感温性高分子層から滲み出した水分を取り除く水分除去手段とを回転方向にこの順で設けるのが好ましい。
【００１５】
そしてまた、親水性と疎水性とに可逆変化する前記感温性高分子層の相転移温度としては５℃〜４５℃の範囲が好ましい。
【００１６】
前記インクの水性媒体の、親水性から疎水性に変化する温度は、前記感温性高分子層の相転移温度よりも高い温度であるのが好ましい。
【発明の効果】
【００１７】
本発明のインクジェット記録装置によれば、電力消費量を増加させることなく、記録媒体におけるインクの滲みを抑制できるとともに、画像担持体から記録媒体への画像の転写効率を高めることができる。
【図面の簡単な説明】
【００１８】
【図１】本発明に係るインクジェット記録装置の一例を示す概説図である。
【図２】第１加熱部材による加熱で、感温性高分子層及びインク中の水性媒体が親水性から疎水性となり、感温性高分子層から水分が滲出して、感温性高分子層とインクとの間に水分が介在する状態になることを説明する図である。
【図３】本発明に係るインクジェット記録装置の他の例を示す概説図である。
【図４】本発明に係るインクジェット記録装置の他の例を示す概説図である。
【発明を実施するための形態】
【００１９】
以下、本発明に係るインクジェット記録装置について図に基づいて以下説明するが、本発明はこれらの実施形態に何ら限定されるものではない。
【００２０】
図１は、本発明に係るインクジェット記録装置の一例を示す概説図である。この図のインクジェット記録装置は、円筒状の基体１１の表面に感温性高分子層１２が形成された画像担持体１と、画像信号に基づいて画像担持体１の表面にインク画像を形成するインク吐出ヘッド２と、画像担持体１に接触する転写ローラ（転写手段）３と、画像担持体１に接触し感温性高分子層１２を加熱する第２加熱ローラ（第２加熱手段）４と、感温性高分子層１２表面の水分を吸収除去する水分吸収ローラ（水分除去手段）５とを備える。第２加熱ローラ４は、回転自在の筒状体４１と、筒状体４１の軸中心に設けられた棒状のハロゲンヒータ４２とを有する。
【００２１】
そして、インク吐出ヘッド２よりも画像担持体１の回転方向上流側に水分吐出ヘッド（水分付与手段）９が設けられ、インク吐出ヘッド２と転写ローラ３との間には、画像担持体１の離隔外周と対向するように第１加熱部材（第１加熱手段）８ａが設けられ、さらに第１加熱部材８ａの近傍には揮発成分吸収部材６が設けられている。
【００２２】
なお、水分吐出ヘッド９の取付位置は、転写ローラ３よりも画像担持体１の回転方向上流側であれば、インク吐出ヘッド２の上流側および下流側のいずれであっても構わないが、インク吐出ヘッド２よりも下流側に設けると、水分吐出ヘッド９から吐出した水分によってインク画像が移動して画像に「にじみ」が生じるおそれがある。また、いわゆるベタ画像の場合には画像に濃度ムラが生じ、これに起因して感温性高分子層１２に吸収される水分量にムラができて、転写効率に部分的な差が生じる。このため、図１に示すように、水分吐出ヘッド９はインク吐出ヘッド２よりも上流側に設けるのが好ましい。
【００２３】
この図で示したインクジェット記録装置は単色の画像を形成するものであるが、複数のインク吐出ヘッド２を設けて複数色のインクを吐出可能としカラーインク画像が形成可能な装置にも本発明はもちろん適用できる。
【００２４】
本発明における感温性高分子層１２を構成する感温性高分子は、相転移温度以下では親水性を示し、相転移温度以上では疎水性を示す高分子である。例えば、Ｎ−イソプロピルアクリルアミドやＮ−メチルアクリルアミド，Ｎ−アクリロイルピロリジン，Ｎ−ビニルイソブチルアミド、ビニルエーテルなどを構成単位として含む単独重合体又は共重合体を挙げることができる。感温性高分子の相転移温度は装置内温度よりも高いことが好ましく、通常、５℃〜４５℃の範囲が好ましい。
【００２５】
本発明で使用する画像担持体１は、このような感温性高分子からなる感温性高分子層１２を円筒状の基体１１の表面に形成してなる。感温性高分子層１２の基体１１への形成は、例えば、感温性高分子をシート状に成形した後、シランカップリング剤などの接着剤で基体１１に貼着する方法等が挙げられる。基体１１の材料としては、例えば、アルミニウムやステンレス鋼などの金属材料やポリオレフィンやポリ塩化ビニル、ポリエチレンテレフタレートなどのプラスチック材料が挙げられる。また、基体１１は、円筒状に限定されるものではなく、例えば無端状ベルトであっても構わない。
【００２６】
また、本発明で使用するインク７は、加熱によって親水性から疎水性に変化する水性媒体７１に顔料７２を分散したものであり、必要によりラテックスやポリマーが混合されていてもよい。顔料７２は、色材の他、色材を内包したマイクロカプセルなどであってもよい。また、加熱によって親水性から疎水性に変化する水性媒体としては、例えば、疎水性成分と親水性成分とを有する水溶性樹脂を、溶媒としての水に溶解したものが挙げられる。親水成分としてはイオン性及びノニオン性のいずれの成分であってもよいが、イオン性の成分がより好ましく、さらにはアニオン性の成分が好ましい。特に、アニオン性の成分を揮発可能な塩基成分で中和することで水溶性を付与したものが好ましい。
【００２７】
水溶性樹脂を構成する疎水性モノマーとしては、例えば、アクリル酸ｎ−ブチル，アクリル酸２−エチルヘキシル，アクリル酸２−ヒドロキシルエチルなどのアクリル酸エステル；メタクリル酸エチル，メタクリル酸ブチル，メタクリル酸グリシジルなどのメタクリル酸エステル、スチレンなどが挙げられる。一方、水溶性樹脂を構成する親水性モノマーとしては、例えば、アクリル酸，メタクリル酸，アクリルアミドなどが挙げられ、アクリル酸のような酸性基を有するものは、重合後に塩基で中和したものが好ましい。
【００２８】
水溶性樹脂の分子量としては、平均分子量で３０００〜３００００の範囲が好ましく、より好ましくは７０００〜２００００の範囲である。また、水溶性樹脂の酸価としては６５〜２５０の範囲が好ましい。
【００２９】
水溶性樹脂の酸性モノマー由来の酸性基は、部分的又は完全に塩基成分で中和するのが好ましい。この場合、中和塩基としては、例えば、水酸化ナトリウムや水酸化カリウムなどのアルカリ金属含有塩基；アンモニア，アルカノールアミン，アルキルアミンなどのアミン類などが好適に使用される。特に、画像堅牢性の観点などからは、沸点が２００℃未満のアミン類で中和することが推奨される。後述するように、第１加熱手段によってインク７が加熱されると、水溶性樹脂中の塩基成分が揮発し未中和の酸性基に戻り、水溶性樹脂は水に溶解しなくなり、結果的に水性媒体はゲル化すると共に親水性から疎水性となる。
【００３０】
このような構成のインクジェット記録装置において画像形成は次のようにして行われる。まず、水分吐出ヘッド９から水分を吐出させて感温性高分子層１２に水分を散布する。ここで、水分の散布は画像形成予定部分にのみ行うのが好ましい。非画像形成部分にまで水分を散布すると、後述する転写時に多くの加熱エネルギーが必要になると共に、感温性高分子層１２から滲み出した水分が用紙（記録媒体）Ｐに吸収され用紙Ｐのコシが低下するからである。なお、感温性高分子層１２は、少なくとも水分吐出ヘッド９による水分付与から転写ローラ３によるインク画像の転写領域直前までの間は、相転移温度未満の温度に調整され、この間は感温性高分子層１２は親水性とされている。
【００３１】
水分付与手段としては、水分吐出ヘッド９の他、噴霧器や、オフセット印刷機で用いられている湿し水着けローラなどが使用できるが、画像形成予定部分にのみ水分を散布できる点でインクジェット方式の水分吐出ヘッド９が望ましい。水分吐出ヘッド９から吐出させる水分量は、水分吐出ヘッド９から吐出した水分とインク７中の水分との総量が、感温性高分子層１２の最大水分吸収量を超えない範囲内において適宜決定すればよい。具体的には、第１加熱ローラ８ａの加熱によって感温性高分子層１２から滲み出す水分量を、転写の際に、感温性高分子層１２とインク７と付着力を低下させる量とすればよい。なお、第１加熱ローラ８ａによる加熱温度やインク７中の水分量、感温性高分子層１２による水分吸収量などを調整することによって、インク７中の水分のみで、転写の際に、感温性高分子層１２とインク７と付着力を低下させることができる場合には、水分吐出ヘッド９を設けなくても構わない。
【００３２】
次いで、画像信号に基づいてインク吐出ヘッド２からインク７を吐出させて、感温性高分子層１２の表面にインク画像を形成する。本発明で使用するインク吐出ヘッド２は、オンデマンド方式やコンティニュアス方式など従来公知の方式を用いることができる。また吐出方式としては、例えば、シングルキャビティー型、ダブルキャビティー型、ベンダー型、ピストン型、シェアーモード型、シェアードウォール型等の電気−機械変換方式；サーマルインクジェット型、バブルジェット（登録商標）型の等の電気−熱変換方式；スパークジェット型等の静電吸引方式などが挙げられる。さらに、印字方式としては、シリアルヘッド方式、ラインヘッド方式等のいずれの方式も用いることができる。
【００３３】
図２（ａ）に示すように、感温性高分子層１２の表面に形成されたインク画像の、水性媒体７１中の水分の一部は、親水性を示す感温性高分子層１２に吸収され、感温性高分子層１２表面のインク７は濃縮された状態となる。なお、水性媒体７１中の水溶性樹脂は感温性高分子層１２には吸収されず、水性媒体中７１に残る。
【００３４】
次いで、図２（ｂ）に示すように、不図示の駆動源によって画像担持体１がさらに回転し、第１加熱部材８ａによってインク７及び感温性高分子層１２が加熱されると、まず、インク７において、水性媒体７１に溶解している水溶性樹脂から揮発可能な中和塩基が揮発して、水溶性樹脂は親水性から疎水性に変化する。これによって水性媒体７１がゲル化する。そして、図２（ｃ）に示すように、感温性高分子層１２が相転移温度以上に加熱されて親水性から疎水性になると、感温性高分子層１２から水分が滲み出てくる。これにより、疎水性を示すゲル化したインク７と感温性高分子層１２との間に水分が介在する状態となり、感温性高分子層１２に対するインク７の付着力が格段に低下する。なお、インク７の水溶性樹脂から揮発したは成分は、装置外に拡散しないように揮発成分吸収部材６（図１に図示）によって吸収される。また、インク７の水性媒体７１が親水性から疎水性に変化する温度は、感温性高分子層１２の相転移温度よりも高い温度であるのが好ましい。
【００３５】
このような状態でインク画像は画像担持体１と転写ローラ３とのニップ部に搬送されるので、不図示の搬送手段によってニップ部に搬送されてきた用紙Ｐにインク画像は容易に転写されるようになる。なお、感温性高分子層１２からの水分滲出量は、ゲル化したインク７を浮き上がらせ付着力を低下させる量に調整されているので、従来問題となっていた用紙Ｐにおける水分によるインク画像の滲みが抑制される。加えて、インク７の水性媒体７１が疎水性となるので、感温性高分子層１２から滲出した水分と混ざり合うことがなく、用紙Ｐにおけるインク画像の滲みはさらに抑制される。
【００３６】
ここで、転写効率を一層高める観点からは、画像担持体１から用紙Ｐへのインク画像の転写は、ニップ部において画像担持体１の周速度を用紙Ｐの搬送速度よりも速くし、発生するずり応力を利用してインク画像を用紙Ｐに転写させるのが好ましい。より好ましくは、画像担持体１の周速度を用紙Ｐの搬送速度の１．２倍以下とするのがよい。
【００３７】
図１に示すように、インク画像が用紙Ｐに転写した後、画像担持体１がさらに回転すると、第２加熱ローラ４によって感温性高分子層１２がさらに加熱され、感温性高分子層１２に吸収されていた水分がさらに表面に滲み出してくる。なお、加熱温度は、感温性高分子層１２の相転移温度以上であればよく、この相転移温度を常温に近い温度に設定することにより、消費電力を従来の装置に比べて低くすることができる。感温性高分子層１２を加熱する第２加熱手段としては、第２加熱ローラ４の他、サーマルヘッドのような選択的に加熱できるものなど、接触方式あるいは非接触方式の従来公知の加熱手段を用いることができる。また、第２加熱手段の設置位置としては、画像担持体１の外周部であってもよいし内周部であってもよい。
【００３８】
次いで、感温性高分子層１２から滲み出た水分は、画像担持体１に接触しながら回転する、多孔質体から構成される水分吸収ローラ５によって吸収され、画像担持体１表面から除去される。水分吸収ローラ５によって吸収された水分は水分吸収ローラ５の軸中心又は外周側からポンプ等で吸引して回収するようにしてもよい。なお、感温性高分子層１２表面の水分を取り除く手段としては、水分吸収ローラ５の他、ブレード接触や加熱乾燥、エアナイフ等の従来公知の除去手段を用いることができる。
【００３９】
そして、水分吸収ローラ５によって表面の水分が除去された画像担持体１は、水分吐出ヘッド９によって水分が吐出される位置に回転移動する間に空冷され、相転移温度以下まで冷却される。これによって感温性高分子層１２は疎水性から親水性に変化し、水分吐出ヘッド９から感温性高分子層１２に散布された水分が、前述のように、感温性高分子層１２に吸収される。なお、水分吸収ローラ５から水分吐出ヘッド９まで画像担持体１が回転する間に、画像担持体１を相転移温度以下まで確実に冷却する観点から、水分吸収ローラ５と水分吐出ヘッド９との間に冷却手段をさらに設けても構わない。冷却手段としては、ファンなどを用いた風冷やヒートポンプ、ペルチェ素子などが挙げられる。
【００４０】
以上説明したインクジェット記録装置によれば、インクジェット専用紙のみならず、普通紙、アート紙など従来はインクが滲みやすかった用紙Ｐに対しても高解像度のインク画像を高い転写効率で形成できる。
【００４１】
図３に、本発明に係るインクジェット記録装置の他の実施形態を示す概説図を示す。この図に示すインクジェット記録装置が、図１に示したインクジェット記録装置と異なる点は、第１加熱手段が、感温性高分子層１２を転写ローラ３を介して加熱する点にある。すなわち、第１加熱手段としての棒状のハロゲンヒータ８ｂを転写ローラ３の軸中心に設け、転写手段と第１加熱手段とを一体化した点にある。これにより、装置構成が単純化できる。あるいはまた、転写ローラ３の外側の近接位置にハロゲンヒータ８ｂを設けて、転写ローラ３を介して感温性高分子層１２を加熱するようにしてもよい。
【００４２】
図４に、本発明に係るインクジェット記録装置のさらに他の実施形態を示す概説図を示す。この図に示すインクジェット記録装置が、図１に示したインクジェット記録装置と異なる点は、第１加熱ローラ８ｃが、感温性高分子層１２を挟んで転写ローラ３と対向する位置で、画像担持体１の内周面と接触し従動回転するように設けられている点である。第１加熱ローラ８ｃは、回転自在の筒状体８１と、筒状体８１の軸中心に設けられた棒状のハロゲンヒータ８２とを有する。
【００４３】
以上説明した各実施形態では、第２加熱ローラ４と水分吸収ローラ５によって、感温性高分子層１２に吸収された水分を除去していたが、第２加熱手段だけで感温性高分子層１２に吸収された水分を除去するようにしてもよい。例えば、第２加熱手段によって感温性高分子層１２から水分を滲み出させ、さらに蒸発させるのである。具体例としては、第２加熱手段として複数の棒状のハロゲンヒータを用い、これらのハロゲンヒータを画像担持体１の表面に対して離隔対向し、且つ周方向に所定間隔で設置し、ハロゲンヒータから放射された熱線を画像担持体１に照射し加熱して、感温性高分子層１２から水分を滲み出させ蒸発させる。あるいは、第２加熱手段として、表面に多孔質層が形成された接触式の加熱ローラを用いて、感温性高分子層１２を相転移温度以上に加熱すると同時に感温性高分子層１２から滲み出た水分を吸収するようにしてもよい。
【産業上の利用可能性】
【００４４】
本発明のインクジェット記録装置によれば、電力消費量を増加させることなく、記録媒体におけるインクの滲みを抑制することができるとともに、画像担持体から記録媒体へのインク画像の転写効率を高めることができ有用である。
【符号の説明】
【００４５】
１    画像担持体
２    インク吐出ヘッド（インク吐出手段）
３    転写ローラ（転写手段）
４    加熱ローラ（第２加熱手段）
５    水分除去ローラ（水分除去手段）
６    揮発成分吸収部材
７    インク
８ａ  第１加熱部材（第１加熱手段）
８ｂ  ハロゲンヒータ（第１加熱手段）
８ｃ  加熱ローラ（第１加熱手段）
９    水分吐出ヘッド（水分付与手段）
Ｐ    用紙（記録媒体）
１２    感温性高分子層
７１    水性媒体
７２    顔料
【図１】
2013132776.tif 000003
【図２】
2013132776.tif 000004
【図３】
2013132776.tif 000005
【図４】
2013132776.tif 000006